(57)【要約】      （修正有）【課題】子供が成長するにつれて、ヘッドレストが、座席により大きい深さを与えるようにより高い位置に移動できる幼児椅子を提供する。【解決手段】本発明の幼児椅子は、異なる高さに位置するように適合されているヘッドレスト５に関連している独立座席を備え、上記座席は異なる内部深さ位置を取り入れており、より高い位置へのヘッドレストの移動は、座席の位置により大きい深さをもたらす。上記座席は、２つの板６および７の組み立てによって構成されており、上記２つの板はピン関節接続部で互いに横に連結されており、上記組み立てはピン関節接続部で下方支持部９に連結されており、上記下方支持部はピン関節接続部で第３の板１１に順番に連結されており、この第３の板は、上記ヘッドレスト５に関連しているものである。【選択図】図４
2007204041.tif 000002
【特許請求の範囲】
【請求項１】
異なる高さに位置するように適合されているヘッドレスト（５）に関連している独立座席（４）を備え、上記座席は異なる内部深さ位置を取り入れており、より高い位置へのヘッドレストの移動は、座席の位置により大きい深さをもたらすことを特徴とする幼児椅子。
【請求項２】
上記座席は、２つの板（６および７）の組み立てによって構成されており、上記２つの板はピン関節接続部で互いに横に連結されており、上記組み立てはピン関節接続部で下方支持部（９）に連結されており、上記下方支持部はピン関節接続部で第３の板（１１）に順番に連結されており、この第３の板は、上記ヘッドレスト（５）に関連しているものであることを特徴とする請求項１に記載の幼児椅子。
【請求項３】
上記座席（４）は、上記ヘッドレスト（５）に向かって上記第３の板（１１）を片寄らせている上記下方支持部（９）を貫通する、弾力のある手段（１１ａ）を備えていることを特徴とする請求項２に記載の幼児椅子。
【請求項４】
上記ヘッドレスト（５）は、背面に固定部材（１２）を設けており、上記固定部材は、上記椅子の背もたれ（１４）に垂直に一列に並んでおり異なる穴（１３）に、選択的に取り付けられるようになっており、上記固定部材は、上記背もたれ（１４）の背面に配置されている制御部（１５）に関連しており、上記固定部材は、異なる高さにて上記ヘッドレスト（５）を置くために、上記制御部によって解除されるようになっていることを特徴とする請求項１に記載の幼児椅子。
【請求項５】
上記制御部は、上記ヘッドレスト（５）に固定して取り付けられている支持部（１７）に、ピン関節接続部で連結されており、上記制御部は、２つの末端付属物（１８および１９）を有しており、上記２つの末端付属物は、互いに逆の配置で設けられ、それぞれの突出部（２０および２１）に対して作用するために適合されており、上記それぞれの突出部は、固定部材（１２）を構成している部品（２２）の先端に設けられており、この部品は、活動中の位置に向かって、固定部材（１２）を片寄らせている弾力のある手段（３２）に適合されていることを特徴とする請求項４に記載の幼児椅子。
【発明の詳細な説明】
【発明の詳細な説明】
【０００１】
〔発明の分野〕
本発明の幼児椅子は、つかめる取っ手を有する上下一体（one-piece）の本体を構成し、乳母車にぴったりとはまるように適合されているような種類、または、座席およびヘッドレスト（headrest）からなる本体を構成し、自動車の座席に固定させるために設計されるような種類、の色々な種類に従って製作される。
【０００２】
〔発明の背景〕
乳母車にぴったりとはまる用と、自動車の座席にしっかりと固定する用との両方のために、色々な構造および色々な手段を有する幼児椅子の色々なモデルがある。それらの幼児椅子のいくつかは、固定ヘッドレストを構成しているものがあるが、高さ調整可能なヘッドレストを有しているものもある。
【０００３】
〔発明の開示〕
本発明は、子供が成長するにつれて、ヘッドレストが、座席により大きい深さを与えるようにより高い位置に移動されるような方法で、幼児椅子の座席およびヘッドレストが、子供の大きさに合った位置を有するために適されている幼児椅子を対象としている。これにより、子供がとても小さいときには、座席は小さい深さを有し、子供がすでにより大きさ体型に成長したときには、上記座席はより大きい深さを有し、このとき、ヘッドレストは必然的により高い位置に配置されることが可能となる。
【０００４】
本幼児椅子の特徴的構成は、より高い位置に向かってヘッドレストを移動するとき、座席の深さが、自動的に進歩的な方法で増加する状態を実際に実現することである。また、座席は、ヘッドレストに関連するような目的のためにある。
【０００５】
座席は、２つの板の組み立てによって構成されており、上記２つの板はピン関節接続部で互いに横に連結されており、上記組み立てはピン関節接続部で下方支持部に連結されており、上記下方支持部はピン関節接続部で第３の板に順番に連結されており、この第３の板は、上記ヘッドレストに関連しているものである。
【０００６】
背面では、上記ヘッドレスト（５）が固定部材（１２）に設けられており、上記固定部材は、上記椅子の背もたれ（１４）に垂直に一列に並んでおり異なる穴（１３）に、選択的に取り付けられるようになっており、上記固定部材は、上記背もたれ（１４）の背面に配置されている制御部（１５）に関連しており、上記固定部材は、異なる高さにて上記ヘッドレスト（５）を置くために、上記制御部によって解除されるようになっている。
【０００７】
これらや他の特徴的構成は、以下の詳細な説明によって最も明白になるであろう。また、詳細な説明の理解は、図１〜１１を添付することによってより容易になるであろう。なお、実質的な実施の形態を示すこれらの図は、一例として挙げているだけであり、本発明の範囲を限定するものではない。
【０００８】
〔図の詳細な説明〕
図１および２は、それぞれ、斜視方向で見たときと、後方から見たときとの幼児椅子を示す図である。
【０００９】
図３は、上記幼児椅子における、座席およびヘッドレストの構成を示す斜視図である。
【００１０】
図４および５は、それぞれ、背の低い年頃の子供用と、年長の年頃の子供用との位置に座席およびヘッドレストを有する、幼児椅子の概略を示す縦断面図である。
【００１１】
図６は、ヘッドレスト固定手段の細部の概略を示す断面正面図である。
【００１２】
図７は、座席が停止するベースを構成している下方拡張部、および幼児椅子の背もたれを示す斜視図である。
【００１３】
図８は、背後から斜視方向で見たときのヘッドレストを示す図である。
【００１４】
図９は、別々の構成で設けられる固定部材および解除制御部を有する、背もたれの背部側の細部を示す斜視図である。
【００１５】
図１０は、支持部から分離されている解除制御部を示す斜視図である。
【００１６】
図１１は、下から見たときの座席の構成を示す斜視図である。
【００１７】
〔詳細な説明〕
図を参照すると、図示されている幼児椅子（１）は、手で持ち運べることを可能にする取っ手（３）を設けている、上下一体（one-piece）の本体（２）を構成する種類のものである。上記上下一体の本体は、乳母車にぴったりはまるように適合されている。
【００１８】
この幼児椅子は、特徴として、ヘッドレスト（headrest）（５）に関連している独立座席（４）を有している。上記座席は、２つの板（６）および（７）の組み立てによって構成されている。２つの板（６）および（７）は、ピン（８）によって、ピン関節接続部にて互いに横に連結されている。また、ピン（８）では、下方支持部（９）がさらに、ピン関節接続部にて連結されている（図４，５、および１１（図１１では、板（６）は板（７）を隠している））。上記下方支持部は、ピン（１０）によって、ヘッドレスト（５）に関連している第３の板（１１）にピン関節で連結されている。上記座席組み立ては、ピン（８）に合ったバネ（１１ａ）によって形成されている弾力のある手段を構成している。そして、ずっと、上記支持部（９）は、ヘッドレスト（５）に向かって第３の板（１１）を片寄らせている。
【００１９】
板（６）は、後方端（６’）において、本体（２）に、ピン関節接続部にて横に連結されている。
【００２０】
ヘッドレスト（５）は、背面に固定部材（１２）を設けている（図８および９）。固定部材（１２）は、異なる穴（pocket）（１３）に、選択的に取り付けるようになっている。異なる穴（１３）は、椅子の背もたれ（１４）に垂直に一列に並んでいる（図７）。上記固定部材は、背もたれ（１４）の背面に備えられている制御部（１５）に関連している（図１０）。
【００２１】
上記制御部（１５）は、ピン形状の付属物（１６）を有している。上記制御部（１５）は、ピン形状の付属物（１６）によって、ピン関節接続部に支持部（１７）と連結されている。また、上記制御部（１５）は、２つの末端付属物（１８）および（１９）を構成している。末端付属物（１８）および（１９）は、互いに逆の配置で設けられている。また、末端付属物（１８）および（１９）は、固定部材（１２）を形成している部品（２２）の突出部（２０）および（２１）のそれぞれに対して作用するために適合されている。また、この部品は、バネ（２３）によって構成されている弾力のある手段に合わせられている。バネ（２３）は、突出部（２０）および（２１）に合致するように備えられている。また、バネ（２３）は、穴（１３）のうちの１つに取り付けたとき、活動中の位置に向かって、固定部材（１２）を片寄らせている。
【００２２】
支持部（１７）は、背もたれ（１４）に設けられている開口部（２５）および（２６）を通り抜けて、ヘッドレスト（５）に固定して取り付けられる（図７）。この背もたれは、より下にベース（２７）を拡張している。ベース（２７）では、座席（４）は停止する。ヘッドレスト（５）は、下部座席部材（２８）を全体的に備えている。上昇させた位置にヘッドレストを有するこの下部座席部材は、背もたれの下側の半分を覆っている。低い位置にヘッドレストを有する下部座席部材は、座席の板（６）を覆っている。
【００２３】
参照符号（２９）は、ヒンジ状の小さいカバーを示しており、このヒンジ状の小さいカバーは、より低い位置で、制御部（１５）を保護するために設計されている。
【００２４】
図４では、椅子は、背の低い年頃の子供用に配置されている。そのような目的を有する座席は、小さい深さを有している。上記位置は、下がった位置にいるヘッドレスト（５）に対する第３の板（１１）の隣接している接触によって、維持されている。例えば、上記位置は、ヘッドレストの止め具（５’）での第３の板（１１）の末端（１１’）の隣接によって、維持されている。
【００２５】
制御部（１５）を解除している間に、ヘッドレスト（５）を上に移動させる際、バネ（１１ａ）の偏倚動作により、第３の板（１１）もまた、支持部（９）の押圧動作のために、上の方へ移動させられる。それゆえ、座席は、最大に到達するまで、より大きい深さを次第に取得している（図５）。最大地点では、座席はベース（２７）に支えられている。このベース（２７）の構成においてヘッドレスト（５）は、移動した位置にいる。これらの状態において全ての移動は、年長の年頃の子供を適切に乗せることを可能にしている。すなわち、子供が成長するにつれて、ヘッドレストは、より高い位置に次第に移動させられ、座席は次第により大きい深さを取得する。
【００２６】
この幼児椅子は、最終的な室内装飾材料と同様に、必然的に、対応する安全ベルトおよび必要なアクセサリを有するであろう。
【図面の簡単な説明】
【００２７】
【図１】図１は、斜視方向で見たときの幼児椅子を示す図である。
【図２】図２は、後方から見たときの幼児椅子を示す図である。
【図３】図３は、上記幼児椅子における、座席およびヘッドレストの構成を示す斜視図である。
【図４】図４は、背の低い年頃の子供用の位置に座席およびヘッドレストを有する、幼児椅子の概略を示す縦断面図である。
【図５】図５は、年長の年頃の子供用の位置に座席およびヘッドレストを有する、幼児椅子の概略を示す縦断面図である。
【図６】図６は、ヘッドレスト固定手段の細部の概略を示す断面正面図である。
【図７】図７は、座席が停止するベースを構成している下方拡張部、および幼児椅子の背もたれを示す斜視図である。
【図８】図８は、背後から斜視方向で見たときのヘッドレストを示す図である。
【図９】図９は、別々の構成で設けられる固定部材および解除制御部を有する、背もたれの背部側の細部を示す斜視図である。
【図１０】図１０は、支持部から分離されている解除制御部を示す斜視図である。
【図１１】図１１は、下から見たときの座席の構成を示す斜視図である。
【図１】
2007204041.tif 000003
【図２】
2007204041.tif 000004
【図３】
2007204041.tif 000005
【図４】
2007204041.tif 000006
【図５】
2007204041.tif 000007
【図６】
2007204041.tif 000008
【図７】
2007204041.tif 000009
【図８】
2007204041.tif 000010
【図９】
2007204041.tif 000011
【図１０】
2007204041.tif 000012
【図１１】
2007204041.tif 000013